(57)【特許請求の範囲】
【請求項１】
第１の移動通信端末と近距離無線通信を行う終端端末が第２の移動通信端末を介してＣＰＮＳサービスを要請したときに、送られてきたサービス要請を分析した後、把握されたサービスを前記終端端末に提供するＣＰＮＳサーバーと、
第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請して受信し、これを実行する終端端末と、
を備える、ＣＰＮＳ環境において終端端末が複数の移動通信端末に接続されてサービス提供を受けるためのシステム。
【請求項２】
前記終端端末から要請されるＣＰＮＳサービスが第２の移動通信端末を介した新規コンテンツの提供要請である場合に、
前記ＣＰＮＳサーバーは、
コンテンツを提供するサーバーに前記新規コンテンツを要請して受信し、これを第２の移動通信端末を介して終端端末に提供することを特徴とする請求項１に記載のＣＰＮＳ環境において終端端末が複数の移動通信端末に接続されてサービス提供を受けるためのシステム。
【請求項３】
前記終端端末は、
前記第１の移動通信端末および第２の移動通信端末を介してＣＰＮＳサーバーから送信される既存コンテンツおよび新規コンテンツを一つの画面上に同時に出力することを特徴とする請求項２に記載のＣＰＮＳ環境において終端端末が複数の移動通信端末に接続されてサービス提供を受けるためのシステム。
【請求項４】
前記終端端末から要請されるＣＰＮＳサービスが、第１の移動通信端末のサービス可用資源の不足による新規セルラーリンクの追加要請である場合に、
前記ＣＰＮＳサーバーは、
第１の移動通信端末を介して現在提供中のコンテンツデータを第１の移動通信端末および第２の移動通信端末の伝送速度によって分割して、第１の移動通信端末および第２の移動通信端末にそれぞれ送信することを特徴とする請求項１に記載のＣＰＮＳ環境において終端端末が複数の移動通信端末に接続されてサービス提供を受けるためのシステム。
【請求項５】
前記終端端末は、
前記第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて実行することを特徴とする請求項４に記載のＣＰＮＳ環境において終端端末が複数の移動通信端末に接続されてサービス提供を受けるためのシステム。
【請求項６】
近距離無線通信網を介して複数の移動通信端末と通信を行う終端端末であって、前記複数の移動通信端末のそれぞれを介して送信されるコンテンツを実行する前記終端端末から前記複数の移動通信端末のそれぞれを介して要請されるＣＰＮＳサービスを提供するためのＣＰＮＳサーバーであって、
移動通信網を介して通信を行うための通信インタフェース部と、
前記複数の移動通信端末のうちの第１の移動通信端末から送信されたコンテンツを実行中の前記終端端末が前記複数の移動通信端末のうちの第２の移動通信端末を介してＣＰＮＳサービスを要請すれば、送信されたサービスを分析するサービス要請把握部と、
前記サービス要請把握部によって分析されたＣＰＮＳサービスが前記第２の移動通信端末を介した新規コンテンツ提供要請である場合に、コンテンツを提供するサーバーに前記新規コンテンツを要請して受信するコンテンツ要請受信部と、
前記コンテンツ要請受信部によって受信されたコンテンツを前記第２の移動通信端末を介して前記終端端末に提供し、前記終端端末は、前記第１及び第２の移動通信端末から送信されたコンテンツを同時に実行するコンテンツ提供部と、
を備える、ＣＰＮＳサーバー。
【請求項７】
前記コンテンツ要請受信部は、
新規コンテンツを要請するに際して、既に記憶している終端端末および第２の移動通信端末の仕様情報を考慮してコンテンツを要請することを特徴とする請求項６に記載のＣＰＮＳサーバー。
【請求項８】
前記ＣＰＮＳサーバーは、
前記サービス要請把握部によって分析されたＣＰＮＳサービスが第１の移動通信端末のサービス可用資源の不足による新規セルラーリンクの追加要請である場合に、第１の移動通信端末を介して現在提供中のコンテンツデータを第１の移動通信端末および第２の移動通信端末の伝送速度によって分割するコンテンツ分割部
をさらに備えることを特徴とする請求項６に記載のＣＰＮＳサーバー。
【請求項９】
前記ＣＰＮＳサーバーは、
近距離無線通信を介して終端端末と情報を送受信して、ＣＰＮＳサーバーから提供されるコンテンツをはじめとするＣＰＮＳサービスを終端端末に提供する移動通信端末の情報をデータベースに記憶して管理する移動通信端末情報管理部
をさらに備えることを特徴とする請求項６に記載のＣＰＮＳサーバー。
【請求項１０】
前記ＣＰＮＳサーバーは、
近距離無線通信網を介して移動通信端末と情報を送受信する終端端末の情報をデータベースに登録して管理する終端端末情報管理部
をさらに備えることを特徴とする請求項６に記載のＣＰＮＳサーバー。
【請求項１１】
近距離無線通信網を介して通信を行うための通信インタフェース部と、
移動通信端末から送信されるコンテンツを実行する再生部と、
第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請して受信するコンテンツ要請受信部と、
前記コンテンツ要請受信部を介して前記第１の移動通信端末および第２の移動通信端末のそれぞれから異なるコンテンツが送信される場合に、これを再生部を介して一つの画面上に出力するコンテンツ処理部と、
複数の移動通信端末と同時にＣＰＮＳサービスのためのセッション接続が行われるようにセッション管理を行うセッション管理部と、
を備える、終端端末。
【請求項１２】
前記終端端末は、
第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて前記再生部において実行するコンテンツ併合部
をさらに備えることを特徴とする請求項１１に記載の終端端末。
【請求項１３】
ＣＰＮＳサーバー、移動通信端末および終端端末を備えるシステムにおいて終端端末と複数の移動通信端末とが接続されてサービス提供を受けるための方法であって、
ａ）第１の移動通信端末と近距離無線通信を行う終端端末が第２の移動通信端末を介してＣＰＮＳサービスを要請すれば、ＣＰＮＳサーバーが送られてきたサービス要請を把握するステップと、
ｂ）ＣＰＮＳサーバーが、前記ステップａ）において把握されたサービスを前記第１の移動通信端末または第２の移動通信端末を介して終端端末に提供するステップと、
ｃ）終端端末が、前記第１の移動通信端末および第２の移動通信端末から送信されるＣＰＮＳサービス情報を実行するステップであって、前記終端端末が、前記第１の移動通信端末および第２の移動通信端末を介してＣＰＮＳサーバーから送信される既存コンテンツおよび新規コンテンツを一つの画面上に同時に出力する前記ステップと、
を含む、ＣＰＮＳ環境において終端端末が複数の移動通信端末に接続されてサービス提供を受けるための方法。
【請求項１４】
前記ステップａ）において把握されたＣＰＮＳサービスが第２の移動通信端末を介した新規コンテンツの提供要請である場合に、
前記ステップｂ）において、
ＣＰＮＳサーバーはコンテンツを提供するサーバーに前記新規コンテンツを要請して受信し、これを第２の移動通信端末を介して終端端末に提供することを特徴とする 請求項１３に記載のＣＰＮＳ環境において終端端末が複数の移動通信端末に接続されてサービス提供を受けるための方法。
【請求項１５】
前記ステップａ）において把握されたＣＰＮＳサービスが、第１の移動通信端末のサービス可用資源の不足による新規セルラーリンクの追加要請である場合に、
前記ステップｂ）において、
前記ＣＰＮＳサーバーは、
第１の移動通信端末を介して現在提供中のコンテンツデータを第１の移動通信端末および第２の移動通信端末の伝送速度によって分割して、第１の移動通信端末および第２の移動通信端末にそれぞれ送信することを特徴とする請求項１３に記載のＣＰＮＳ環境において終端端末が複数の移動通信端末に接続されてサービス提供を受けるための方法。
【請求項１６】
前記ステップｃ）は、
前記終端端末が、前記第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて実行するステップであることを特徴とする請求項１５に記載のＣＰＮＳ環境において終端端末が複数の移動通信端末に接続されてサービス提供を受けるための方法。
【請求項１７】
ＣＰＮＳサーバーにおいて終端端末と複数の移動通信端末とが接続されてサービス提供を受けるための方法であって、
ａ）第１の移動通信端末と近距離無線通信を行う終端端末が第２の移動通信端末を介してＣＰＮＳサービスを要請すれば、ＣＰＮＳサーバーが送られてきたサービス要請を把握するステップと、
ｂ）前記ステップａ）において把握されたＣＰＮＳサービスが、第２の移動通信端末を介した新規コンテンツの提供要請である場合に、ＣＰＮＳサーバーがコンテンツを提供するサーバーに前記新規コンテンツを要請して受信し、これを第２の移動通信端末を介して終端端末に提供し、
前記ステップａ）において把握されたＣＰＮＳサービスが、第１の移動通信端末のサービス可用資源の不足による新規セルラーリンクの追加要請である場合に、ＣＰＮＳサーバーが、第１の移動通信端末を介して現在提供中のコンテンツデータを第１の移動通信端末および第２の移動通信端末の伝送速度によって分割して、第１の移動通信端末および第２の移動通信端末にそれぞれ送信するステップと、
を含む、ＣＰＮＳ環境において終端端末が複数の移動通信端末に接続されてサービス提供を受けるための方法。
【請求項１８】
終端端末が近距離無線通信を介して複数の移動通信端末と接続されてＣＰＮＳサーバーからＣＰＮＳサービス提供を受けるための方法であって、
ａ）終端端末が、第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請するステップと、
ｂ）前記ＣＰＮＳサービス要請が、第２の移動通信端末を介した新規コンテンツの提供要請である場合に、前記第１の移動通信端末および第２の移動通信端末を介してＣＰＮＳサーバーから送信される既存コンテンツおよび新規コンテンツを一つの画面上に同時に出力し、
前記ＣＰＮＳサービス要請が、第１の移動通信端末のサービス可用資源の不足による新規セルラーリンクの追加要請である場合に、前記第１の移動通信端末および第２の移動通信端末のそれぞれを介してＣＰＮＳサーバーから送信される複数のコンテンツを一つにまとめて実行するステップと、
を含む、ＣＰＮＳ環境において終端端末が複数の移動通信端末に接続されてサービス提供を受けるための方法。
【請求項１９】
前記終端端末が複数の移動通信端末と同時にＣＰＮＳサービスのためのセッション接続が行われるようにセッション関連情報をチェックするステップ
をさらに含むことを特徴とする請求項１８に記載のＣＰＮＳ環境において終端端末が複数の移動通信端末に接続されてサービス提供を受けるための方法。
【発明の詳細な説明】
【技術分野】
【０００１】
本発明は、ＣＰＮＳ（Ｃｏｎｖｅｒｇｅｄ  Ｐｅｒｓｏｎａｌ  Ｎｅｔｗｏｒｋ  Ｓｅｒｖｉｃｅ）環境において終端端末が複数の移動通信端末に接続されてサービス提供を受けるための方法およびシステムと、このためのＣＰＮＳサーバーおよび終端端末に係り、さらに詳しくは、終端端末が複数の移動通信端末と同時に近距離無線通信を行うことによりＣＰＮＳサービスが提供される、ＣＰＮＳ環境において終端端末が複数の移動通信端末に接続されてサービス提供を受けるための方法およびシステムと、このためのＣＰＮＳサーバーおよび終端端末に関する。
【背景技術】
【０００２】
最近の情報通信技術の発展には目を見張るものがあり、これに伴い、文書、イメージおよび動画など（以下、説明の便宜のために、特に言及のない限り、「文書、イメージおよび動画など」は、「コンテンツ」と略称する。）を再生可能なＭＰ３（ＭＰＥＧオーディオレイヤー）プレーヤー、パーソナルマルチメディアプレーヤー（ＰＭＰ：Ｐｅｒｓｏｎａｌ Ｍｕｌｔｉｍｅｄｉａ Ｐｌａｙｅｒ）、ウルトラモバイルパーソナルコンピュータ（ＵＭＰＣ：Ｕｌｔｒａ Ｍｏｂｉｌｅ Ｐｅｒｓｏｎａｌ Ｃｏｍｐｕｔｅｒ）などの様々な終端端末が用いられている。この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
【０００３】
上述した不都合を解消するために、終端端末にブルートゥース、ウルトラワイドバンド（ＵＷＢ：Ｕｌｔｒａ Ｗｉｄｅ Ｂａｎｄ）などの近距離無線通信網に接続可能な通信手段を付加する技術が提案されている。
【０００４】
同技術によれば、近距離通信網を介して外部装置からコンテンツをダウンロードすることができる。しかしながら、この方法は、外部装置に記憶されているコンテンツのダウンロードは可能であるとはいえ、ユーザーが所望するものの、外部装置に記憶されてはいないコンテンツのダウンロードは行えないという不都合が存在する。
【０００５】
また、たとえ近距離無線通信を利用しても、既存の移動通信を用いて移動通信端末がサービスプロバイダーや移動通信社から提供されていたコンテンツまたはサービスを直接的に提供されることはできない。
【発明の概要】
【発明が解決しようとする課題】
【０００６】
本発明は、上述した不都合を解消するためになされたものであり、近距離無線通信を用いてＰＭＰなどの終端端末を移動通信端末に接続し、移動通信端末の移動通信機能を用いて既存のコンテンツサービスプロバイダーに接近する形で所望のサービス提供を受けるためのＣＰＮＳ技術を提案する。
【０００７】
一方、終端端末が移動通信端末との近距離無線通信を介してＣＰＮＳサービス提供を受ける間に、他の移動通信端末と接続されてさらにサービスの提供を受けようとしても、当該技術が提供されず、終端端末のユーザーが不便を訴える場合がしばしば発生する。
【０００８】
本発明は上述した不都合を解消するためになされたものであり、その目的は、終端端末が複数の移動通信端末と接続されてＣＰＮＳサービス提供を受けるための、ＣＰＮＳ環境において終端端末が複数の移動通信端末に接続されてサービス提供を受けるための方法およびシステムと、このためのＣＰＮＳサーバーおよび終端端末を提供するところにある。
【課題を解決するための手段】
【０００９】
上述した目的を達成するために、本発明の一実施形態に係るＣＰＮＳ環境において終端端末が複数の移動通信端末に接続されてサービス提供を受けるためのシステムは、第１の移動通信端末と近距離無線通信を行う終端端末が第２の移動通信端末を介してＣＰＮＳサービスを要請すれば、送られてきたサービス要請を分析した後、把握されたサービスを前記終端端末に提供するＣＰＮＳサーバーと、第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請して受信し、これを実行する終端端末と、を備える。
【００１０】
前記ＣＰＮＳ環境において終端端末が複数の移動通信端末に接続されてサービス提供を受けるためのシステムにおいて、前記終端端末から要請されるＣＰＮＳサービスが第２の移動通信端末を介した新規コンテンツの提供要請である場合に、前記ＣＰＮＳサーバーは、コンテンツを提供するサーバーに前記新規コンテンツを要請して受信し、これを第２の移動通信端末を介して終端端末に提供してもよい。
【００１１】
前記ＣＰＮＳ環境において終端端末が複数の移動通信端末に接続されてサービス提供を受けるためのシステムにおいて、前記終端端末は、前記第１の移動通信端末および第２の移動通信端末を介してＣＰＮＳサーバーから送信される既存コンテンツおよび新規コンテンツを一つの画面上に同時に出力してもよい。
【００１２】
前記ＣＰＮＳ環境において終端端末が複数の移動通信端末に接続されてサービス提供を受けるためのシステムにおいて、前記終端端末から要請されるＣＰＮＳサービスが、第１の移動通信端末のサービス可用資源の不足による新規セルラーリンクの追加要請である場合に、前記ＣＰＮＳサーバーは、第１の移動通信端末を介して現在提供中のコンテンツデータを第１の移動通信端末および第２の移動通信端末の伝送速度によって分割して、第１の移動通信端末および第２の移動通信端末にそれぞれ送信してもよい。
【００１３】
前記ＣＰＮＳ環境において終端端末が複数の移動通信端末に接続されてサービス提供を受けるためのシステムにおいて、前記終端端末は、前記第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて実行してもよい。
【００１４】
上述した目的を達成するために、本発明の他の実施形態に係るＣＰＮＳサーバーは、近距離無線通信網を介して移動通信端末と通信を行う終端端末から移動通信端末を介して要請されるＣＰＮＳサービスを提供するためのＣＰＮＳサーバーであって、移動通信網を介して通信を行うための通信インタフェース部と、第１の移動通信端末と近距離無線通信を行う終端端末が第２の移動通信端末を介してＣＰＮＳサービスを要請すれば、送信されたサービスを分析するサービス要請把握部と、前記サービス要請把握部によって分析されたＣＰＮＳサービスが第２の移動通信端末を介した新規コンテンツ提供要請である場合に、コンテンツを提供するサーバーに前記新規コンテンツを要請して受信するコンテンツ要請受信部と、前記コンテンツ要請受信部によって受信されたコンテンツを第２の移動通信端末を介して終端端末に提供するコンテンツ提供部と、を備える。
【００１５】
前記ＣＰＮＳサーバーにおいて、前記コンテンツ要請受信部は、新規コンテンツを要請するに際して、既に記憶している終端端末および第２の移動通信端末の仕様情報を考慮してコンテンツを要請してもよい。
【００１６】
前記ＣＰＮＳサーバーは、前記サービス要請把握部によって分析されたＣＰＮＳサービスが第１の移動通信端末のサービス可用資源の不足による新規セルラーリンクの追加要請である場合に、第１の移動通信端末を介して現在提供中のコンテンツデータを第１の移動通信端末および第２の移動通信端末の伝送速度によって分割するコンテンツ分割部をさらに備えていてもよい。
【００１７】
前記ＣＰＮＳサーバーは、近距離無線通信を介して終端端末と情報を送受信して、ＣＰＮＳサーバーから提供されるコンテンツをはじめとするＣＰＮＳサービスを終端端末に提供する移動通信端末の情報を前記データベースに記憶して管理する移動通信端末情報管理部をさらに備えていてもよい。
【００１８】
前記ＣＰＮＳサーバーは、近距離無線通信網を介して移動通信端末と情報を送受信する終端端末の情報をデータベースに登録して管理する終端端末情報管理部をさらに備えていてもよい。
【００１９】
上述した目的を達成するために、本発明のさらに他の実施形態に係る終端端末は、近距離無線通信網を介して通信を行うための通信インタフェース部と、移動通信端末から送信されるコンテンツを実行する再生部と、第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請して受信するコンテンツ要請受信部と、前記コンテンツ要請受信部を介して前記第１の移動通信端末および第２の移動通信端末のそれぞれから異なるコンテンツが送信される場合に、これを再生部を介して一つの画面上に出力するコンテンツ処理部と、複数の移動通信端末と同時にＣＰＮＳサービスのためのセッション接続が行われるようにセッション管理を行うセッション管理部と、を備える。
【００２０】
前記終端端末は、第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて前記再生部において実行するコンテンツ併合部をさらに備えていてもよい。
【００２１】
上述した目的を達成するために、本発明のさらに他の実施形態に係るＣＰＮＳ環境において終端端末が複数の移動通信端末に接続されてサービス提供を受けるための方法は、ＣＰＮＳサーバー、移動通信端末および終端端末を備えるシステムにおいて終端端末と複数の移動通信端末とが接続されてサービス提供を受けるための方法であって、ａ）第１の移動通信端末と近距離無線通信を行う終端端末が第２の移動通信端末を介してＣＰＮＳサービスを要請すれば、ＣＰＮＳサーバーが送られてきたサービス要請を把握するステップと、ｂ）ＣＰＮＳサーバーが、前記ステップａ）において把握されたサービスを前記第１の移動通信端末または第２の移動通信端末を介して終端端末に提供するステップと、ｃ）終端端末が、前記第１の移動通信端末および第２の移動通信端末から送信されるＣＰＮＳサービス情報を実行するステップと、を含む。
【００２２】
前記ＣＰＮＳ環境において終端端末が複数の移動通信端末に接続されてサービス提供を受けるための方法において、前記ステップａ）において把握されたＣＰＮＳサービスが第２の移動通信端末を介した新規コンテンツの提供要請である場合に、前記ステップｂ）において、ＣＰＮＳサーバーはコンテンツを提供するサーバーに前記新規コンテンツを要請して受信し、これを第２の移動通信端末を介して終端端末に提供してもよい。
【００２３】
前記ＣＰＮＳ環境において終端端末が複数の移動通信端末に接続されてサービス提供を受けるための方法において、前記ステップｃ）は、前記終端端末が、前記第１の移動通信端末および第２の移動通信端末を介してＣＰＮＳサーバーから送信される既存コンテンツおよび新規コンテンツを一つの画面上に同時に出力するステップであってもよい。
【００２４】
前記ＣＰＮＳ環境において終端端末が複数の移動通信端末に接続されてサービス提供を受けるための方法において、前記ステップａ）において把握されたＣＰＮＳサービスが、第１の移動通信端末のサービス可用資源の不足による新規セルラーリンクの追加要請である場合に、前記ステップｂ）において、前記ＣＰＮＳサーバーは、第１の移動通信端末を介して現在提供中のコンテンツデータを第１の移動通信端末および第２の移動通信端末の伝送速度によって分割して、第１の移動通信端末および第２の移動通信端末にそれぞれ送信してもよい。
【００２５】
前記ＣＰＮＳ環境において終端端末が複数の移動通信端末に接続されてサービス提供を受けるための方法において、前記ステップｃ）は、前記終端端末が、前記第１の移動通信端末および第２の移動通信端末のそれぞれを介してＣＰＮＳサーバーから送信されるコンテンツが同じコンテンツデータから分割されたコンテンツである場合に、複数のコンテンツを一つにまとめて実行するステップであってもよい。
【００２６】
上述した目的を達成するために、本発明のさらに他の実施形態に係るＣＰＮＳ環境において終端端末が複数の移動通信端末に接続されてサービス提供を受けるための方法は、ＣＰＮＳサーバーにおいて終端端末と複数の移動通信端末とが接続されてサービス提供を受けるための方法であって、ａ）第１の移動通信端末と近距離無線通信を行う終端端末が第２の移動通信端末を介してＣＰＮＳサービスを要請すれば、ＣＰＮＳサーバーが送られてきたサービス要請を把握するステップと、ｂ）前記ステップａ）において把握されたＣＰＮＳサービスが、第２の移動通信端末を介した新規コンテンツの提供要請である場合に、ＣＰＮＳサーバーがコンテンツを提供するサーバーに前記新規コンテンツを要請して受信し、これを第２の移動通信端末を介して終端端末に提供し、前記ステップａ）において把握されたＣＰＮＳサービスが、第１の移動通信端末のサービス可用資源の不足による新規セルラーリンクの追加要請である場合に、ＣＰＮＳサーバーが、第１の移動通信端末を介して現在提供中のコンテンツデータを第１の移動通信端末および第２の移動通信端末の伝送速度によって分割して、第１の移動通信端末および第２の移動通信端末にそれぞれ送信するステップと、を含む。
【００２７】
上述した目的を達成するために、本発明のさらに他の実施形態に係るＣＰＮＳ環境において終端端末が複数の移動通信端末に接続されてサービス提供を受けるための方法は、終端端末が近距離無線通信を介して複数の移動通信端末と接続されてＣＰＮＳサーバーからＣＰＮＳサービス提供を受けるための方法であって、ａ）終端端末が、第１の移動通信端末と近距離無線通信網を介して接続されてＣＰＮＳサービスを行う間に、第２の移動通信端末と近距離無線通信を介して接続されてＣＰＮＳサーバーに特定のＣＰＮＳサービスを要請するステップと、ｂ）前記ＣＰＮＳサービス要請が、第２の移動通信端末を介した新規コンテンツの提供要請である場合に、前記第１の移動通信端末および第２の移動通信端末を介してＣＰＮＳサーバーから送信される既存コンテンツおよび新規コンテンツを一つの画面上に同時に出力し、前記ＣＰＮＳサービス要請が、第１の移動通信端末のサービス可用資源の不足による新規セルラーリンクの追加要請である場合に、前記第１の移動通信端末および第２の移動通信端末のそれぞれを介してＣＰＮＳサーバーから送信される複数のコンテンツを一つにまとめて実行するステップと、を含む。
【００２８】
前記ＣＰＮＳ環境において終端端末が複数の移動通信端末に接続されてサービス提供を受けるための方法は、前記終端端末が複数の移動通信端末と同時にＣＰＮＳサービスのためのセッション接続が行われるようにセッション関連情報をチェックするステップをさらに含んでいてもよい。
【図面の簡単な説明】
【００２９】
【図１】本発明に係るＣＰＮＳ環境における遠距離終端端末の制御システムと通信網との接続関係を示す図である。
【図２】本発明に係るＣＰＮＳサービスのための初期設定方法を説明するためのフローチャートである。
【図３】本発明に係るＣＰＮＳサーバーの構成を示す図である。
【図４】本発明に係る移動通信端末の履歴情報テーブルの一例を示す図である。
【図５】本発明に係る終端端末の履歴情報テーブルの一例を示す図である。
【図６】本発明に係る終端端末の構成を示す図である。
【図７】本発明に係る終端端末が複数の移動通信端末に接続されてサービス提供を受けるための方法の一例を説明するためのフローチャートである。
【図８】本発明に係る終端端末が複数の移動通信端末に接続されてサービス提供を受けるための方法の他の例を説明するためのフローチャートである。
【００３０】
（符号の説明）
１００：ＣＰＮＳサーバー、
１１０：通信インタフェース部、
１２０：移動通信端末情報管理部、
１３０：終端端末情報管理部、
１４０：サービス要請把握部、
１５０：コンテンツ要請受信部、
１６０：コンテンツ提供部、
１７０：コンテンツ変換部、
１８０：データベース、
２００：移動通信端末、
３００：終端端末、
３１０：通信インタフェース部、
３２０：入力部、
３３０：再生部、
３４０：記憶部、
３５０：コンテンツ要請受信部、
３６０：コンテンツ処理部、
３７０：コンテンツ併合部、
３８０：セッション管理部、
【発明を実施するための形態】
【００３１】
本発明におけるコンバージェンスパーソナルネットワークサービス（ＣＰＮＳ：Ｃｏｎｖｅｒｇｅｄ Ｐｅｒｓｏｎａｌ Ｎｅｔｗｏｒｋ Ｓｅｒｖｉｃｅ）環境とは、近距離無線通信は行えるものの、移動通信網とのセルラー通信は行えない携帯用端末がパーソナルネットワーク（ＰＮ：Ｐｅｒｓｏｎａｌ  Ｎｅｔｗｏｒｋ）ゲートウェイの役割を果たす移動通信端末と近距離無線通信を行うことで、セルラー通信を通して提供可能なデータサービスを利用できるようにするものである。
【００３２】
以下、添付図面に基づき、本発明の好適な実施形態を詳述する。
【００３３】
まず、図１は、本発明に係るＣＰＮＳ環境における遠距離終端端末の制御システムと通信網との接続関係を示す図である。
【００３４】
本発明に係るシステムは、第１の移動通信端末２００−ａと近距離無線通信を行う終端端末３００が第２の移動通信端末２００−ｂを介してＣＰＮＳサービスを要請すれば、送られてきたサービス要請を分析した後、把握されたサービスを終端端末３００に提供するＣＰＮＳサーバー１００と、第１の移動通信端末２００−ａと近距離無線通信網を介して接続されてＣＰＮＳサービスを行う間に、第２の移動通信端末２００−ｂと近距離無線通信を介して接続されてＣＰＮＳサーバー１００に特定のＣＰＮＳサービスを要請して受信し、これを実行する終端端末３００と、を備える。
【００３５】
本発明は、終端端末３００から要請されるサービスが第１の移動通信端末から現在提供中のサービスとは異なる新規サービスを要請する場合と、第１の移動通信端末のサービス可用資源の不足により新規セルラーリンクを追加要請する場合と、に分けて動作する。
【００３６】
第一に、終端端末から要請されるＣＰＮＳサービスが第２の移動通信端末を介した新規コンテンツの提供要請である場合に、ＣＰＮＳサーバー１００は、コンテンツを提供するサーバー（図１におけるコンテンツ提供サーバー）４００に新規コンテンツを要請して受信し、これを第２の移動通信端末２００−ｂを介して終端端末３００に提供する。
【００３７】
ここで、終端端末３００は、第１の移動通信端末２００−ａおよび第２の移動通信端末２００−ｂを介してＣＰＮＳサーバー１００から送信される既存コンテンツおよび新規コンテンツを一つの画面上に同時に出力する。
【００３８】
第二に、終端端末から要請されるＣＰＮＳサービスが、第１の移動通信端末のサービス可用資源の不足による新規セルラーリンクの追加要請である場合に、ＣＰＮＳサーバー１００は、第１の移動通信端末２００−ａを介して現在提供中のコンテンツデータを第１の移動通信端末２００−ａおよび第２の移動通信端末２００−ｂの伝送速度によって分割して、第１の移動通信端末および第２の移動通信端末にそれぞれ送信する。
【００３９】
ここで、終端端末３００は、第１の移動通信端末２００−ａおよび第２の移動通信端末２００−ｂのそれぞれを介してＣＰＮＳサーバー１００から送信されるコンテンツが同じコンテンツデータから分割されたコンテンツである場合に、複数のコンテンツを一つにまとめて実行する。
【００４０】
図１に示す終端端末３００とは、パーソナルマルチメディアプレーヤー（ＰＭＰ）、ＭＰ３プレーヤー、カーナビゲーション端末、携帯電話、ゲーム機など、近距離無線通信機能付き携帯用端末のことをいう。
【００４１】
一方、近距離無線通信網は、無線ＬＡＮ、ブルートゥース、ＵＷＢなどをはじめとして、近距離無線通信が行える通信網を網羅する。
【００４２】
図１に示すＣＰＮＳサーバー１００、移動通信端末２００および終端端末３００は、ＣＰＮＳサービスのための初期設定過程を経るが、この詳細については後述する。
【００４３】
図２は 本発明に係るＣＰＮＳサービスのための初期設定方法を説明するためのフローチャートである。
【００４４】
まず、終端端末３００は、ＣＰＮＳサービスを利用するために、パーソナルネットワーク（ＰＮ：Ｐｅｒｓｏｎａｌ Ｎｅｔｗｏｒｋ）ゲートウェイデバイスの役割を果たす移動通信端末を検索する（Ｓ１０）。
【００４５】
次いで、終端端末３００は、ステップＳ１０において検索された移動通信端末２００にサービスを要請する。ここで、終端端末は、ＣＰＮＳ利用可能情報も一緒に送信する（Ｓ２０）。
【００４６】
この後、移動通信端末２００は、終端端末に送信されるサービス要請を受けると、終端端末のＣＰＮＳサービス利用可否をチェックする（Ｓ３０）。
【００４７】
ステップＳ３０におけるチェックの結果、終端端末がＣＰＮＳサービスを利用できると判断された場合に、移動通信端末２００は終端端末３００にＣＰＮＳサービスが利用可能である旨の認証メッセージを送信する（Ｓ４０）。
【００４８】
終端端末３００は、移動通信端末からＣＰＮＳサービスが利用可能である旨の認証メッセージを受信すれば、自分のＩＤを送信する（Ｓ５０）。
【００４９】
移動通信端末２００は、終端端末３００から送信されるＩＤのフォーマットがＣＰＮＳから発給したＩＤフォーマットと一致するか否かをチェックして、終端端末３００から送信されるＩＤのフォーマットがＣＰＮＳから発給したＩＤフォーマットと一致する場合に、終端端末３００にサービスが利用可能である旨の認証メッセージを送信する（Ｓ６０、Ｓ７０）。
【００５０】
この後、移動通信端末２００は、ＣＰＮＳサーバー１００に、自分および終端端末３００の認証情報およびＩＤを送信する（Ｓ８０）。
【００５１】
ＣＰＮＳサーバー１００は、移動通信端末から送信される認証情報およびＩＤをチェックして、ＣＰＮＳサービスの利用可否を判断する（Ｓ９０）。
【００５２】
もし、ステップ９０における判断の結果、移動通信端末および終端端末が両方ともサービス利用可能であると判断された場合に、ＣＰＮＳサーバー１００はこれを終端端末に報知し、今後コンテンツ要請をはじめとするＣＰＮＳサービスを利用するようにする（Ｓ１００）。
【００５３】
もし、ステップ９０における判断の結果、移動通信端末および終端端末のどちらか一方でもサービスが利用不可であると判断された場合に、ＣＰＮＳサーバー１００はその旨を終端端末に報知し、ＣＰＮＳサービスのための初期設定過程を終了する。
【００５４】
一方、ステップＳ３０におけるチェックの結果、終端端末のＣＰＮＳサービスが利用不可であると判断された場合に、移動通信端末２００は終端端末３００にサービスが利用不可である旨のメッセージを送信した後、ＣＰＮＳサービスのための初期設定過程を終了する。
【００５５】
他方、ステップＳ６０におけるチェックの結果、終端端末のＩＤフォーマットがＣＰＮＳから発給したＩＤフォーマットと一致しない場合に、移動通信端末２００はサービスが利用不可である旨のメッセージを終端端末に送信した後、ＣＰＮＳサービスのための初期設定過程を終了する。
【００５６】
図３は、本発明に係るＣＰＮＳサーバーの構成を示す図である。
【００５７】
同図に示すように、ＣＰＮＳサーバー１００は、通信インタフェース部１１０と、移動通信端末情報管理部１２０と、終端端末情報管理部１３０と、サービス要請把握部１４０と、コンテンツ要請受信部１５０と、コンテンツ提供部１６０と、コンテンツ分割部１７０およびデータベース１８０を備える。
【００５８】
より具体的に、通信インタフェース部１１０は、移動通信網を介して通信を行うための構成要素である。
【００５９】
移動通信端末情報管理部１２０は、近距離無線通信を介して終端端末３００と情報を送受信して、ＣＰＮＳサーバー１００から提供されるコンテンツをはじめとするＣＰＮＳサービスを終端端末３００に提供する移動通信端末２００の情報を前記データベース１８０に記憶して管理する。
【００６０】
移動通信端末情報管理部１２０は、図４に示すように、履歴テーブルの形で移動通信端末の情報を管理するが、当該情報は、自分（移動通信端末２００）のＩＤ、接続された終端端末３００のＩＤ、提供されたサービス、課金情報、接続された終端端末３００の仕様情報またはこれらの組み合わせのうちの少なくとも１以上を含む。
【００６１】
終端端末情報管理部１３０は、近距離無線通信網を介して移動通信端末２００と情報を送受信する終端端末３００の情報をデータベース１８０に登録して管理する。
【００６２】
終端端末情報管理部１３０は、図５に示すように、自分終端端末３００のＩＤ、接続された移動通信端末２００のＩＤ、提供されたサービス、課金情報、サービス関連情報またはこれらの組み合わせのうちの少なくとも１以上を含み、サービス関連情報は、料金制、伝送速度またはこれらの組み合わせのうちの少なくとも１以上を含む。
【００６３】
サービス要請把握部１４０は、第１の移動通信端末２００−ａと近距離無線通信を行う終端端末３００が第２の移動通信端末２００−ｂを介してＣＰＮＳサービスを要請すれば、送信されたサービスを分析する。
【００６４】
例えば、終端端末から送信されるＣＰＮＳサービスが新規コンテンツの提供要請であるか、現在提供中のコンテンツデータの伝送速度を高めるための新規セルラーリンクの追加要請であるか、あるいは、これらを除く他のサービス要請であるかを把握する。
【００６５】
ここで、終端端末３００は、第２の移動通信端末２００−ｂを介してＣＰＮＳサーバー１００に送信するＣＰＮＳサービス要請にいかなるサービスを要請するかに関する詳細情報を含めて（例えば、ヘッダーに含めて）、ＣＰＮＳサーバーに当該サービスを把握させる。
【００６６】
コンテンツ要請受信部１５０は、サービス要請把握部１４０によって分析されたＣＰＮＳサービスが第２の移動通信端末２００−ｂを介した新規コンテンツの提供要請である場合に、コンテンツを提供するサーバー４００（コンテンツ提供サーバー）に新規コンテンツを要請して受信する。
【００６７】
コンテンツ要請受信部１５０は、新規コンテンツを要請するに際して、既に記憶している終端端末３００および第２の移動通信端末２００−ｂの仕様情報を考慮してコンテンツを要請する。
【００６８】
例えば、仕様情報は、ＬＣＤサイズ、コーデック情報などを含む。
【００６９】
コンテンツ提供部１６０は、コンテンツ要請受信部１５０によって受信されたコンテンツを第２の移動通信端末２００−ｂを介して終端端末３００に提供する。
【００７０】
コンテンツ分割部１７０は、サービス要請把握部１４０によって分析されたＣＰＮＳサービスが第１の移動通信端末２００−ａのサービス可用資源の不足による新規セルラーリンクの追加要請である場合に、第１の移動通信端末２００−ａを介して現在提供中のコンテンツデータを第１の移動通信端末２００−ａおよび第２の移動通信端末２００−ｂの伝送速度によって分割する。
【００７１】
データベース１８０は、移動通信端末の情報および終端端末の情報をはじめとするＣＰＮＳサーバー１００に関連する情報を記憶する。
【００７２】
図６は、本発明に係る終端端末の構成を示す図である。
【００７３】
同図に示すように、終端端末３００は、通信インタフェース部３１０と、入力部３２０と、再生部３３０と、記憶部３４０と、コンテンツ要請受信部３５０と、コンテンツ処理部３６０と、コンテンツ併合部３７０およびセッション管理部３８０を備える。
【００７４】
より具体的に、通信インタフェース部３１０は、近距離無線通信網を介して通信を行うための構成要素である。
【００７５】
入力部３２０には、ユーザーの選択によって当該信号が入力される。
【００７６】
再生部３３０は、移動通信端末から送信されるコンテンツを実行する。
【００７７】
記憶部３４０は、終端端末に関連する情報を記憶する。
【００７８】
コンテンツ要請受信部３５０は、第１の移動通信端末２００−ａと近距離無線通信網を介して接続されてＣＰＮＳサービスを行う間に、第２の移動通信端末２００−ｂと近距離無線通信を介して接続されてＣＰＮＳサーバー１００に特定のＣＰＮＳサービスを要請して受信する。
【００７９】
コンテンツ処理部３６０は、コンテンツ要請受信部３５０を介して第１の移動通信端末２００−ａおよび第２の移動通信端末２００−ｂのそれぞれから異なるコンテンツが送信される場合に、これを再生部３３０を介して一つの画面上に出力する。
【００８０】
コンテンツ併合部３７０は、第１の移動通信端末２００−ａおよび第２の移動通信端末２００−ｂのそれぞれを介してＣＰＮＳサーバー１００から送信されるコンテンツが同じコンテンツデータから分割されたコンテンツである場合に、複数のコンテンツを一つにまとめて再生部３３０において実行する。
【００８１】
セッション管理部３８０は、複数の移動通信端末と同時にＣＰＮＳサービスのためのセッション接続が行われるようにセッション管理を行う。
【００８２】
図７は、本発明に係る終端端末が複数の移動通信端末に接続されてサービス提供を受けるための方法の一例を説明するためのフローチャートである。
【００８３】
まず、終端端末３００は、第１の移動通信端末２００−ａと近距離無線通信網を介して接続されてＣＰＮＳサービスを行う間に、第２の移動通信端末２００−ｂと近距離無線通信を介して接続されてＣＰＮＳサーバー１００に特定のＣＰＮＳサービスを要請する（Ｓ１０１、Ｓ１０３）。
【００８４】
ＣＰＮＳサーバー１００は、第２の移動通信端末２００−ｂを介して送られてきたサービス要請を把握する（Ｓ１０５）。
【００８５】
ＣＰＮＳサーバー１００は、ステップＳ１０５において把握されたサービスを第１の移動通信端末２００−ａまたは第２の移動通信端末２００−ｂを介して終端端末３００に提供する。
【００８６】
もし、ステップＳ１０５において把握されたＣＰＮＳサービスが、第２の移動通信端末を介した新規コンテンツの提供要請である場合に、ＣＰＮＳサーバー１００は、コンテンツを提供するサーバー（コンテンツ提供サーバー）４００に新規コンテンツを要請して受信し、これを第２の移動通信端末２００−ｂを介して終端端末３００に提供する（Ｓ１０７、Ｓ１０９）。
【００８７】
次いで、終端端末３００は、第１の移動通信端末２００−ａおよび第２の移動通信端末２００−ｂから送信されるＣＰＮＳサービス情報を実行する。
【００８８】
より具体的に、終端端末が、第１の移動通信端末および第２の移動通信端末を介してＣＰＮＳサーバーから送信される既存コンテンツおよび新規コンテンツを一つの画面上に同時に出力する（Ｓ１１１）。
【００８９】
図示はしないが、終端端末３００は、複数の移動通信端末と同時にＣＰＮＳサービスのためのセッション接続が行われるようにセッション関連情報をチェックする。
【００９０】
図８は、本発明に係る終端端末が複数の移動通信端末に接続されてサービス提供を受けるための方法の他の例を説明するためのフローチャートである。
【００９１】
まず、終端端末３００は、第１の移動通信端末２００−ａと近距離無線通信網を介して接続されてＣＰＮＳサービスを行う間に、第２の移動通信端末２００−ｂと近距離無線通信を介して接続されてＣＰＮＳサーバー１００に特定のＣＰＮＳサービスを要請する（Ｓ２０１、Ｓ２０３）。
【００９２】
ＣＰＮＳサーバー１００は、第２の移動通信端末２００−ｂを介して送られてきたサービス要請を把握する（Ｓ２０５）。
【００９３】
ＣＰＮＳサーバー１００は、ステップＳ２０５において把握されたサービスを第１の移動通信端末２００−ａまたは第２の移動通信端末２００−ｂを介して終端端末３００に提供する。
【００９４】
もし、ステップＳ１０５において把握されたＣＰＮＳサービスが、第１の移動通信端末のサービス可用資源の不足による新規セルラーリンクの追加要請である場合に、ＣＰＮＳサーバー１００は、第１の移動通信端末を介して現在提供中のコンテンツデータを第１の移動通信端末および第２の移動通信端末の伝送速度によって分割して、第１の移動通信端末および第２の移動通信端末にそれぞれ送信する（Ｓ２０７、Ｓ２０９）。
【００９５】
次いで、終端端末３００は、第１の移動通信端末２００−ａおよび第２の移動通信端末２００−ｂから送信されるＣＰＮＳサービス情報を実行する。
【００９６】
より具体的に、終端端末３００は、第１の移動通信端末２００−ａおよび第２の移動通信端末２００−ｂのそれぞれを介してＣＰＮＳサーバー１００から送信されるコンテンツが同じコンテンツデータから分割されたコンテンツである場合に、複数のコンテンツを一つにまとめて実行する（Ｓ２１１、Ｓ２１３）。
【００９７】
図示はしないが、終端端末３００は、複数の移動通信端末と同時にＣＰＮＳサービスのためのセッション接続が行われるようにセッション関連情報をチェックする。
【００９８】
このように、本発明が属する技術分野における当業者は、本発明がその技術的思想や必須的特徴を変更することなく異なる具体的な形態で実施できるということが理解できるであろう。よって、上述した実施形態はあらゆる面において例示的なものであり、限定的ではないものと理解さるべきである。本発明の範囲は、前記詳細な説明よりは後述する特許請求の範囲によって開示され、特許請求の範囲の意味および範囲、ならびにその等価概念から導き出されるあらゆる変更または変形が本発明の範囲に含まれるものと解釈さるべきである。
【産業上の利用可能性】
【００９９】
以上述べたように、本発明に係るＣＰＮＳ環境において終端端末が複数の移動通信端末に接続されてサービス提供を受けるための方法およびシステムと、このためのＣＰＮＳサーバーおよび終端端末によれば、終端端末が複数の移動通信端末と接続されてＣＰＮＳサービスの提供を受けることから、終端端末側にとっては複数の移動通信端末を介して様々なサービスの提供を同時に受けることができ、複数の移動通信端末を同時に使用することから、終端端末側に提供するサービスの品質（データ転送速度を含む）を高めることができるという効果が奏される。
【０１００】
上述したように、本発明に係るＣＰＮＳ環境において終端端末が複数の移動通信端末に接続されてサービス提供を受けるための方法およびシステムと、このためのＣＰＮＳサーバーおよび終端端末は、終端端末が複数の移動通信端末と接続されてＣＰＮＳサービスの提供を受けることから、終端端末側にとっては複数の移動通信端末を介して様々なサービスの提供を同時に受けることができ、複数の移動通信端末を同時に使用することから、終端端末側に提供するサービスの品質（データ転送速度を含む）を高める必要があるものに適用して好適である。
【図１】
0005341211.tif 000002
【図２】
0005341211.tif 000003
【図３】
0005341211.tif 000004
【図４】
0005341211.tif 000005
【図５】
0005341211.tif 000006
【図６】
0005341211.tif 000007
【図７】
0005341211.tif 000008
【図８】
0005341211.tif 000009